(57)【要約】【課題】    パチンコ球の衝突音を軽減する。【解決手段】  前面扉３０は、合成樹脂で形成されており、複層硝子体４０が嵌合されている。複層硝子体４０は、弾性体で形成された保持枠体により、２枚の硝子板を所定の間隔を空けて保持するよう構成されている。複層硝子体４０の２枚の硝子板の間には、パチンコ球の衝突の衝撃を緩和し、衝突音を低減するために、衝突音軽減部材５０が配設されている。【選択図】  図１
2006212215.tif 000002
【特許請求の範囲】
【請求項１】
遊技機の前面に開閉可能に設けられた前面扉に取り付けられる複層硝子体であって、
２枚の硝子板と、
弾性体で形成され、前記２枚の硝子板を所定の間隔を空けて保持する保持枠体と、
前記硝子板の周端領域の少なくとも一部に、前記保持枠体よりも反発力の小さい弾性体により形成された衝突音軽減部材とを備える複層硝子体。
【請求項２】
請求項１記載の複層硝子体であって、
前記衝突音軽減部材は、前記硝子板の周端部の全周に配置される複層硝子体。
【請求項３】
請求項１または請求項２記載の複層硝子体であって、
前記保持枠体には、前記２枚の硝子板を保持する溝状の嵌合部が形成されている複層硝子体。
【請求項４】
請求項３記載の複層硝子体であって、
前記衝突音軽減部材は、前記嵌合部と、前記嵌合部に嵌合する２枚の硝子との間に配置される複層硝子体。
【請求項５】
請求項１または請求項２記載の複層硝子体であって、
前記衝突音軽減部材は、前記２枚の硝子板の間に配置される複層硝子体。
【請求項６】
請求項１記載の複層硝子体であって、
前記２枚の硝子板は、伸張されて形成された伸張部を有し、
前記保持枠体は、前記伸張部に対応する形状に形成された枠伸張部を有し、
前記衝突音軽減部材は、前記伸張部および前記枠伸張部から構成される伸張領域に配置されている複層硝子体。
【請求項７】
請求項１記載の複層硝子体であって、
前記衝突音軽減部材は、前記保持枠体と、前記各硝子との間に配置され、
前記保持枠体、前記各硝子、および、前記衝突音軽減部材は、接着剤により相互に接着される複層硝子体。
【請求項８】
請求項１ないし請求項７いずれか記載の複層硝子体であって、
前記衝突音軽減部材は、多孔質の合成樹脂から形成されている複層硝子体。
【請求項９】
請求項８記載の硝子保持体であって、
前記衝突音軽減部材は、スポンジまたはゴムにより形成されている複層硝子体。
【請求項１０】
硝子支持体と硝子固定体が取り外し可能に組み付けられた保持枠体により、２枚の硝子板を所定の間隔を空けて保持する複層硝子体の製造方法であって、
（ａ）前記硝子固定体を前記硝子支持体から取り外す工程と、
（ｂ）前記硝子支持体および前記硝子固定体に形成された溝部に、前記保持枠体を形成する弾性体よりも反発力の小さい弾性体により形成された衝突音軽減部材を設置する工程と、
（ｃ）前記２枚の硝子板を、前記保持枠体の前記溝部に嵌め込む工程と、
（ｄ）前記硝子固定体の前記溝部に前記硝子板を嵌め込み、前記硝子固定体を前記硝子支持体に組み付ける工程とを備える複層硝子体の製造方法。
【請求項１１】
硝子支持体と硝子固定体が取り外し可能に組み付けられた保持枠体により、２枚の硝子板を所定の間隔を空けて保持する複層硝子体の製造方法であって、
（ａ）前記硝子固定体を、前記硝子支持体から取り外す工程と、
（ｂ）前記２枚の硝子板を、前記硝子支持体に形成された溝部に嵌合する工程と、
（ｃ）前記２枚の硝子板の間に、前記保持枠体を形成する弾性体よりも反発力の小さい弾性体により形成された衝突音軽減部材を挿入する工程と、
（ｄ）前記硝子固定体に形成された溝部に前記硝子板を嵌合して、前記硝子固定体を前記硝子支持体に組み付ける工程とを備える複層硝子体の製造方法。
【請求項１２】
２枚の硝子板を配置する硝子配置部を有する保持枠体により、前記２枚の硝子板を所定の間隔を空けて保持する複層硝子体の製造方法であって、
（ａ）前記硝子配置部に、前記前記保持枠体を形成する弾性体よりも反発力の小さい弾性体で形成された衝突音軽減部材を、接着剤により接着する工程と、
（ｂ）前記保持枠体に接着した前記衝突音軽減部材の、前記各硝子板との接触部位に、接着剤を塗布する工程と、
（ｃ）前記各硝子板を、前記接着剤により前記衝突音軽減部材に接着させ、前記保持枠体と一体化する工程とを備える複層硝子体の製造方法。
【発明の詳細な説明】
【技術分野】
【０００１】
本発明は、パチンコ遊技機の前面枠に設置される複層硝子体に関するものである。
【背景技術】
【０００２】
一般的にパチンコ遊技機は、前面枠が開閉自在に構成されており、前面枠には、２枚の硝子板を、所定の間隔を空けて保持する複層硝子体が嵌合されている。複層硝子体は、２枚の硝子板の間に空間を有することにより、磁石を用いてパチンコ球を動かす不正行為を防止したり、パチンコ球が硝子板や遊技面に衝突した際に発生する衝突音を軽減したりする。複層硝子体は、弾性体により形成された枠体に、２枚の硝子板を嵌合して作られているものが存在する。
【０００３】
【特許文献１】特開２００１−１７７０５号公報
【特許文献２】実公平４０−３３号公報
【特許文献３】実開昭６２−４１０３９号公報
【発明の開示】
【発明が解決しようとする課題】
【０００４】
しかしながら、パチンコ球の衝突音は、遊技者にとっては依然として不快なものであり、更なる衝突音の軽減が望まれている。
【課題を解決するための手段】
【０００５】
上述した課題の少なくとも一部を解決するために、本発明は、以下の構成をとることとした。すなわち、
遊技機の前面に開閉可能に設けられた前面扉にされる複層硝子体において、
２枚の硝子板と、
弾性体で形成され、前記２枚の硝子板を所定の間隔を空けて保持する保持枠体と、
前記硝子板の周端領域の少なくとも一部に、前記保持枠体よりも反発力の小さい弾性体により形成された衝突音軽減部材とを備えることを要旨とする。
【０００６】
本発明によれば、保持枠体を構成する弾性体よりも更に反発力の小さい弾性体により形成された衝突音軽減部材を、硝子板の終端領域の少なくとも一部に備えることにより、パチンコ球の硝子板への衝突による衝撃を緩和することができ、パチンコ球の衝突音を更に軽減させることができる。
【０００７】
本発明の複層硝子体において、前記衝突音軽減部材は、前記硝子板の周端部の全周にされていることとしてもよい。こうすれば、周端領域の全体で、パチンコ球の硝子板への衝突による衝撃を緩和することができるため、更に衝突音を軽減させることができる。
【０００８】
本発明の複層硝子体において、前記保持枠体には、前記２枚の硝子板を配置する溝状の嵌合部が形成されていることとしてもよい。こうすれば、簡易に硝子板を保持することができる。
【０００９】
本発明の複層硝子体において、前記衝突音軽減部材は、前記嵌合部と、前記嵌合部に嵌合する２枚の硝子との間に配置されることとしてもよい。
【００１０】
また、本発明の複層硝子体において、前記衝突音軽減部材は、前記２枚の硝子板の間に配置されることとしてもよい。
【００１１】
また、本発明の複層硝子体において、
前記２枚の硝子板は、伸張されて形成された伸張部を有し、
前記保持枠体は、前記伸張部に対応する形状に形成された枠伸張部を有し、
前記衝突音軽減部材は、前記伸張部および前記枠伸張部から構成される伸張領域に配置されていることとしてもよい。
【００１２】
また、本発明の複層硝子体において、
前記衝突音軽減部材は、前記保持枠体と、前記各硝子との間にされ、
前記保持枠体、前記各硝子、および、前記衝突音軽減部材は、接着剤により相互に接着されることとしてもよい。
【００１３】
このように種々の構成によっても、パチンコ球の硝子板への衝突による衝撃を緩和することができ、衝突音を軽減させることができる。
【００１４】
本発明の複層硝子体において、前記衝突音軽減部材は、多孔質の合成樹脂から形成されていることとしてもよい。例えば、前記衝突音軽減部材は、スポンジまたはゴムにより形成されていることとしてもよい。
【００１５】
本発明によれば、簡易な構成で、パチンコ球の硝子板への衝突による衝撃を緩和することができる。
【００１６】
本発明において、上述した種々の態様は、適宜、組み合わせたり、一部を省略したりして適用することができる。また、複層硝子体の製造方法としてもよい。
【発明を実施するための最良の形態】
【００１７】
以下、本発明の実施の形態について、実施例に基づき、次の順序で説明する。
Ａ．第１実施例：
Ａ１．パチンコ遊技機概略構成：
Ａ２．複層硝子体構造：
Ａ３．製造工程：
Ａ４．変形例：
Ｂ．第２実施例：
Ｂ１．複層硝子体構造：
Ｂ２．製造工程：
Ｃ．第３実施例：
Ｃ１．複層硝子構造：
Ｃ２．製造工程：
Ｄ．変形例：
【００１８】
Ａ．第１実施例：
Ａ１．パチンコ遊技機概略構成：
図１は、本実施例におけるパチンコ遊技機１０の概略構成を例示する斜視図である。パチンコ遊技機１０は、パチンコ遊技機の外殻を形成する外枠２０と、遊技基盤を設置する本体枠２１と、本体枠２１を覆うように設置された前面扉３０とから構成される。本体枠２１および前面扉３０は、パチンコ遊技機正面からみて左側に、上下に延びる開閉軸Ｘを軸心にして前方側に開放可能に組み付けられている。本実施例では、説明を簡易にするため、本体枠２１の詳細な説明は省略する。
【００１９】
本図は、外枠２０の前面扉３０が開放された状態を示している。外枠２０は、木製の板材を、全体として矩形枠状に組み合わせ、各板材を締結部材、例えば、ねじにより固定することにより形成されている。
【００２０】
前面扉３０は、合成樹脂で形成されている。前面扉３０には、複層硝子体４０が取り付けられている。複層硝子体４０は、弾性体で形成された保持枠体により、２枚の硝子板を所定の間隔を空けて保持するよう構成されている。複層硝子体４０の２枚の硝子板の間には、パチンコ球の衝突の衝撃を緩和し、衝突音を軽減するために、衝突音軽減部材５０が配置されている。複層硝子体４０の構成は、本願の特徴部分であり、図２〜図４を用いて詳細を説明する。
【００２１】
Ａ２．複層硝子体構造：
図２は、本実施例における複層硝子体４０の構造を例示する分解斜視図である。図３は、本実施例における複層硝子体４０を例示する平面図である。図４は、本実施例における複層硝子体４０のＡ−Ａ断面における断面図である。
【００２２】
図２に示すように、複層硝子体４０は、保持枠体４１と、２枚の硝子板４２ａ、４２ｂと、衝突音軽減部材５０とから構成されている。衝突音軽減部材５０は、硝子板４２ａ、硝子板４２ｂによって挟持される。
【００２３】
図３に示すように、保持枠体４１は、硝子固定体４３と硝子支持体４４とから構成され、組み付け部４６で着脱可能に組み付けられている。保持枠体４１は合成樹脂で形成されている。保持枠体４１は、内側の全周に、溝状に成形された２本の嵌合部４１ａ、４１ｂを備える。硝子板４２ａ、４２ｂは、保持枠体４１の嵌合部４１ａ、４１ｂにそれぞれ嵌め込まれる。保持枠体４１を、硝子固定体４３と硝子支持体４４との２部材から構成することとしたのは、保持枠体４１と硝子板４２ａ、４２ｂとの組み付けを容易にするためである。具体的な組み付け方法は後述する。
【００２４】
前面側に組み付けられている硝子板４２ａと、本体枠２１側に組み付けられている硝子板４２ｂは、円形状の右下部分を矢印Ｙ方向に伸張した形状に形成されている。保持枠体４１は、硝子板４２ａ、４２ｂの形状に対応する形状に形成されている。図２に斜線ハッチングで、硝子板４２ａ、４２ｂにおける伸張された伸張領域６０を示した。
【００２５】
衝突音軽減部材５０は、保持枠体４１を構成する合成樹脂よりも反発力の低い弾性体から構成されている。本実施例では、衝突音軽減部材５０は、スポンジにより構成されている。衝突音軽減部材５０は、硝子板４２ａの伸張領域６０と、硝子板４２ｂの伸張領域６０との間に設置される。
【００２６】
図４に示すように、衝突音軽減部材５０は、硝子板４２ａ、硝子板４２ｂの伸張領域６０と、保持枠体４１とから形成された伸張空間６１（図中、右斜め下向きハッチングで示した領域）に配置され、硝子板４２ａ、硝子板４２ｂに挟持される。本実施例では、接着剤等によって固定されていないこととしたが、接着剤等により固定することとしてもよい。
【００２７】
Ａ３．製造工程：
図５は、本実施例における複層硝子体の製造工程を説明する説明図である。まず、複層硝子体の保持枠体４１から、硝子固定体４３を取り外す（ステップＳ１０）。２枚の硝子板を、硝子支持体４４の嵌合部４１ａ，４１ｂに組み付ける（ステップＳ１１）。硝子支持体４４に組み付けた２枚の硝子板の間に衝突音軽減部材５０を挿入し、伸張空間６１に配置する（ステップＳ１２）。硝子固定体４３を硝子支持体４４に組み付ける（ステップＳ１３）。
【００２８】
以上説明した第１実施例では、保持枠体４１を構成する弾性体よりも反発力の小さい弾性体で構成されたスポンジにより衝突音軽減部材５０を形成し、複層硝子体４０の終端領域の少なくとも一部に配置することとした。こうすることにより、パチンコ球の硝子板への衝突による硝子板の振動を抑制することができる。従って、パチンコ球の衝突音、特に、周波数の高い音の騒音レベルを、更に軽減することができる。
【００２９】
また、複層硝子体４０の伸張領域６０を、パチンコ遊技機の遊技者から視認できない領域に形成することとすれば、外観の美観を損ねることなく、パチンコ球の衝突音を軽減することが出来る。
【００３０】
Ａ４．第１実施例の変形例：
Ａ４−１．変形例１：
上述した実施例では、衝突音軽減部材５０は、単に、硝子板４２ａと硝子板４２ｂとの間に配置し、硝子板４２ａ、硝子板４２ｂにより挟持されることとしたがこれに限られない。例えば、衝突音軽減部材５０の、硝子板４２ａ、硝子板４２ｂとの接触面に接着剤を塗布し硝子板４２ａ、硝子板４２ｂに接着することとしてもよい。
【００３１】
こうすれば、何らかの衝撃、例えば、パチンコ球の衝突による衝撃により衝突音軽減部材５０が２枚の硝子板の間で移動することを回避することができる。また、この場合、接着剤をブチルゴム系粘着材とすれば、更に、衝突音を軽減することができる。衝突音軽減部材５０を接着剤により接着する場合には、２枚の硝子板４２ａ、硝子板４２ｂのいずれか一方に、予め、衝突音軽減部材５０を接着し、図５のステップＳ１２を省略すればよい。
【００３２】
Ａ４―２．変形例２：
図６（ａ）は、第１実施例の変形例における複層硝子体１００の構成を例示する平面図である。本図は、パチンコ遊技機の前面から複層硝子体１００を見た状態を示している。複層硝子体１００の保持枠体１１０は、第１実施例の複層硝子体４０の保持枠体４１と同様の構成であり、硝子固定体１１３と硝子支持体１１４とから構成され、組み付け部１１６で着脱可能に組み付けられている。
【００３３】
前面側に組み付けられている硝子板１２０ａ、本体枠２１側に組み付けられている硝子板１２０ｂ、および、保持枠体１１０は、４隅を円弧状に成形した略矩形形状に形成されている。
【００３４】
衝突音軽減部材１５０は、硝子板４２ａ、硝子板４２ｂの周端領域の全周を１周するように配置されている。衝突音軽減部材１５０は、第１実施例と同様に、保持枠体１１０を構成する弾性体よりも反発力の低い弾性体（スポンジ）により形成されている。複層硝子体１００の断面を、図６（ｂ）を用いて説明する。
【００３５】
図６（ｂ）は、本変形例における複層硝子体１００の断面図である。本図は、複層硝子体１００を、図６（ａ）のＢ−Ｂ断面において切断した状態を表している。保持枠体１１０に形成された嵌合部１１５ａ、１１５ｂに、硝子板１２０ａ、硝子板１２０ｂがそれぞれ設置されている。衝突音軽減部材５０は、２枚の硝子板の間に挿入され、保持枠体１１０に接するように、２枚の硝子板１２０ａ、１２０ｂに挟持されている。
【００３６】
以上説明した変形例のように、複層硝子体１００の周端領域の全周に、衝突音軽減部材１５０を配置することとすれば、衝突音軽減部材を複層硝子体の周端領域の一部分に配置した場合よりも、更に、衝突音を軽減させることができる。
【００３７】
Ａ４−３．変形例３：
図７は、第１実施例の変形例における複層硝子体２００の構成を例示する断面図である。複層硝子体２００をパチンコ遊技機の前面からみた状態は、図６（ａ）と同様である。
【００３８】
保持枠体２１０は、溝状に形成された嵌合部２１５ａ、２１５ｂと、凸状に形成された突起部２１１を有している。保持枠体２１０に形成された嵌合部２１５ａ、２１５ｂに、硝子板２２０ａ、硝子板２２０ｂがそれぞれ組み付けられている。衝突音軽減部材２５０ａは、保持枠体２１０の突起部２１１と硝子板２２０ａとに挟持されている。衝突音軽減部材２５０ｂも衝突音軽減部材２５０ａと同様に、保持枠体２１０の突起部２１１と硝子板２２０ｂ、硝子板２２０ｂとに挟持されている。
【００３９】
以上説明した変形例の構成としても、第１実施例の複層硝子体４０と同様に、パチンコ球の衝突音を軽減することができる。
【００４０】
Ａ４−４．変形例４：
第１実施例において使用した衝突音軽減部材５０に代えて、乾燥剤入りケースの表裏の表面に、衝突音軽減部材を貼付したものを、２枚の硝子板の間に配置することとしてもよい。こうすれば、硝子板間に結露した水分を除去するとともに、衝突音を軽減することができ、好適である。
【００４１】
Ｂ．第２実施例：
上述した第１実施例では、衝突音軽減部材は、２枚の硝子板に挟持される。第２実施例では、保持枠体に形成された嵌合部と、嵌合部に組み付けられる硝子板との間に衝突音軽減部材を配置する。
【００４２】
Ｂ１．複層硝子体構造：
図８は、第２実施例における複層硝子体３００の構成を例示する断面図である。保持枠体３１０は、第１実施例の保持枠体４１と同様の構成であり、凹状に形成された嵌合部３１５ａ、３１５ｂを有している。衝突音軽減部材３５０ａは、嵌合部３１５ａと硝子板３２０ａとの間に配置され、硝子板３２０ａに押圧されることにより固定されている。衝突音軽減部材３５０ｂは、衝突音軽減部材３５０ａと同様に、嵌合部３１５ｂと硝子板３２０ｂとの間に配置されている。すなわち、衝突音軽減部材３５０ａ、衝突音軽減部材３５０ｂが、各硝子板の周端部を挟み込むように配置されている。
【００４３】
Ｂ２．製造工程：
本実施例における複層硝子体３００の製造工程は、第１実施例の図５において説明したステップＳ１１を「硝子支持体の嵌合部に衝突音軽減部材を配置する」に変更し、ステップＳ１２を「硝子支持体の嵌合部に硝子板を組み付ける」に変更すればよい。
【００４４】
上述した第２実施例の複層硝子体３００によれば、保持枠体と衝突音軽減部材とによって、より反発力の小さい弾性体を内側に配置した２重構造の弾性体により、硝子板を保持することができる。従って、硝子板が接する衝突音軽減部材が、パチンコ球の硝子板への衝突による衝撃を吸収し、衝突音を更に軽減することができる。また、衝突音軽減部材が嵌合部に入り込んでいるため、外観を損なうことなく、遊技領域を広く取ることができる。
【００４５】
Ｃ．第３実施例：
上述した第１実施例、および、第２実施例では、保持枠体に形成された凹状の嵌合部に硝子板を組み付けることにより、硝子板を固定する。本実施例では、硝子板を接着剤により保持枠体に接着し固定する。
【００４６】
Ｃ１．複層硝子構造：
図９は、第３実施例における複層硝子体４００の構成を例示する部分斜視図である。複層硝子体４００は、保持枠体４０１と、２枚の硝子板４２０ａ，４２０ｂと衝突音軽減部材４０２ａ、４０２ｂとから構成される。
【００４７】
保持枠体４０１は、弾性体であって、断面が凸状となるよう形成されており、突起部４３０と、硝子板配置部４０５ａ、４０５ｂとを備える。硝子板配置部４０５ａ，４０５ｂには、硝子板４２０ａ、硝子板４２０ｂがそれぞれ配置される。
【００４８】
衝突音軽減部材４０２ａは、硝子板４２０ａと突起部４３０との間に配置される。同様に、衝突音軽減部材４０２ｂは、硝子板４２０ｂと突起部４３０との間に配置される。衝突音軽減部材４０２ａ、衝突音軽減部材４０２ｂは、硝子板４２０ａ、硝子板４２０ｂの周端部を１周するよう配置される。衝突音軽減部材４０２ａ、衝突音軽減部材４０２ｂは、保持枠体４０１を構成する弾性体よりも反発力の小さい弾性体から構成されている。本実施例では輪状に形成されたゴムリングを用いた。
【００４９】
衝突音軽減部材４０２ａと突起部４３０と硝子板４２０ａは、接着材により相互に接着され固定されている。衝突音軽減部材４０２ｂと突起部４３０と硝子板４２０ｂも同様に、接着材により相互に接着され固定されている。
【００５０】
図１０は、本実施例における複層硝子体４００の構成を例示する断面図である。本図は、図９のＣ−Ｃ断面において切断した状態を示している。保持枠体４０１の硝子板配置部４０５ａ上に、硝子板４２０ａが配置されている。突起部４３０と硝子板４２０ａとの間に衝突音軽減部材４０２ａが配置されている。衝突音軽減部材４０２ａと突起部４３０、衝突音軽減部材４０２ａと硝子板４２０ａ、および、硝子板４２０ａと突起部４３０は、接着剤４５０により接着され固定されている。同様に、保持枠体４０１の硝子板配置部４０５ｂ上に、硝子板４２０ｂが配置されている。突起部４３０と硝子板４２０ｂとの間に衝突音軽減部材４０２ｂが配置されている。衝突音軽減部材４０２ｂと突起部４３０、衝突音軽減部材４０２ｂと硝子板４２０ｂ、および、硝子板４２０ｂと突起部４３０は、接着剤４５０により接着され固定されている。
【００５１】
Ｃ２．製造工程：
図１１は、本実施例における複層硝子体の製造工程を説明する説明図である。衝突音軽減部材４０２ａ、４０２ｂの表面に接着剤を塗布する（ステップＳ３０）。衝突音軽減部材４０２ａを突起部４３０と硝子板配置部４０５ａに接するように接着し、衝突音軽減部材４０２ｂを突起部４３０と硝子板配置部４０５ｂとに接するように接着する（ステップＳ３１）。硝子板４２０ａを、硝子板配置部４０５ａに配置し、突起部４３０の方へ押圧して、硝子板配置部４０５ａの表面に塗布されていた接着剤により接着する。硝子板４２０ｂも同様に、硝子板配置部４０５ｂに配置し、突起部４３０の方へ押圧して、硝子板配置部４０５ｂの表面に塗布されていた接着剤により接着する（ステップＳ３２）。
【００５２】
以上説明した第３実施例の複層硝子体４００によれば、硝子板を固定するために、弾性を有さない接着剤を使用した場合にも、保持枠体と硝子板との間に保持枠体よりも反発力の小さい弾性体であるゴムリングが挟みこまれているため、パチンコ球の衝突音を軽減することができる。
【００５３】
また、硝子板を硝子板配置部に配置して接着剤を用いて接着することとしたため、簡易に組み付けることができる。
【００５４】
Ｃ３．第３実施例の変形例：
上述した第３実施例の複層硝子体４００の構成に、第１実施例の衝突音軽減部材５０を更に付加してもよい。こうすれば、更に、衝突音を軽減することができる。
【００５５】
Ｄ．変形例：
以上、本発明の種々の実施例について説明したが、本発明はこれらの実施例に限定されず、その趣旨を逸脱しない範囲で種々の構成をとることができることは言うまでもない。
【図面の簡単な説明】
【００５６】
【図１】第１実施例におけるパチンコ遊技機の概略構成を例示する斜視図である。
【図２】第１実施例における複層硝子体の構造を例示する分解斜視図である。
【図３】第１実施例における複層硝子体を例示する平面図である。
【図４】第１実施例における複層硝子体の構成を例示する断面図である。
【図５】第１実施例における複層硝子体の組み付け工程を説明する説明図である。
【図６】変形例における複層硝子体の構成を例示する説明図である。
【図７】変形例における複層硝子体の構成を例示する断面図である。
【図８】第２実施例における複層硝子体の構成を例示する断面図である。
【図９】第３実施例における複層硝子体の構成を例示する部分斜視図である。
【図１０】第３実施例における複層硝子体の構成を例示する断面図である。
【図１１】第３実施例における複層硝子体の組み付け工程を説明する説明図である。
【符号の説明】
【００５７】
１０...外枠
２０...外枠
２１...本体枠
３０...前面扉
４０...複層硝子体
４１...保持枠体
４１ａ...嵌合部
４２ａ...硝子板
４２ｂ...硝子板
４３...硝子固定体
４４...硝子支持体
４５ａ，４５ｂ...嵌合部
５０...衝突音軽減部材
５０...衝突音軽減部材
６０...伸張領域
６１...伸張空間
１００...複層硝子体
１１０...保持枠体
１１３...硝子固定体
１１４...硝子支持体
１１５ａ...嵌合部
１２０ａ...硝子板
１２０ｂ...硝子板
２１５ａ...嵌合部
１５０...衝突音軽減部材
２２０ａ...硝子板
２２０ｂ...硝子板
２５０ａ...衝突音軽減部材
２５０ｂ...衝突音軽減部材
３００...複層硝子体
３１０...保持枠体
２００...複層硝子体
３１５ａ...嵌合部
３５０ａ...衝突音軽減部材
３２０ａ...硝子板
３５０ｂ...衝突音軽減部材
３１５ｂ...嵌合部
３２０ｂ...硝子板
２１０...保持枠体
４００...複層硝子体
４０１...保持枠体
４２０ａ，４２０ｂ...硝子板
４０２ａ...衝突音軽減部材
４３０...突起部
４２０ａ...硝子板
４２０ｂ...硝子板
４０５ａ...硝子板配置部
４０２ｂ...衝突音軽減部材
４５０...接着剤
４０５ｂ...硝子板配置部
２１１...突起部
【図１】
2006212215.tif 000003
【図２】
2006212215.tif 000004
【図３】
2006212215.tif 000005
【図４】
2006212215.tif 000006
【図５】
2006212215.tif 000007
【図６】
2006212215.tif 000008
【図７】
2006212215.tif 000009
【図８】
2006212215.tif 000010
【図９】
2006212215.tif 000011
【図１０】
2006212215.tif 000012
【図１１】
2006212215.tif 000013